(57)【要約】【課題】ハウジングに給電部品を簡単に着脱でき、かつ、小型化できるモータの給電構造を提供する。【解決手段】ヨークの開口端に固定され、給電用の相手コネクタが嵌合される有底筒状のコネクタ部２３を有したカバー２０と、このカバー内に収納された貫通する円形の貫通孔を形成したブラシホルダ３０と、このブラシホルダのターミナル取付部３１ｄに取り付けられると共に、カバーのコネクタ部の底壁２４に貫通されて該コネクタ部内に所定長突出する複数のターミナル３５，３６と、複数のターミナルを保持するターミナルホルダ４０とを備え、このターミナルホルダの弾性爪４３をカバーの係止部２５ｂに係止させたモータの給電構造において、給電部品としてのターミナルホルダに弾性爪を形成した可撓性アーム４２を設け、この可撓性アームの先端に取り外し治具用の治具装着孔４４を形成した。【選択図】図６
2008278574.tif 000002
【特許請求の範囲】
【請求項１】
マグネットが固着されたヨークと、このヨークの開口端に固定され、内部に給電部品を収納したハウジングと、このハウジング内に収納され、中央にコンミュテータが貫通する円形の貫通孔を形成したブラシホルダと、このブラシホルダの貫通孔を挾むように少なくとも一対形成されたブラシ収納部に出没自在に収納されたブラシとを備え、前記ハウジングの内部に係止部を設け、この係止部に前記給電部品に設けられた弾性爪を係止して前記ハウジングの内部に前記給電部品を取り付けるようにしたモータの給電構造において、
前記給電部品に前記弾性爪を形成した可撓性アームを設け、この可撓性アームの先端に取り外し治具用の治具装着孔を形成したことを特徴とするモータの給電構造。
【請求項２】
請求項１記載のモータの給電構造であって、
前記ハウジングに給電用の相手コネクタが嵌合される有底筒状のコネクタ部を形成し、このコネクタ部の底壁に該コネクタ部内に所定長突出する複数のターミナルの基部を貫通させると共に、該複数のターミナルの中途部を前記給電部品としてのターミナルホルダで保持し、かつ、前記コネクタ部の底壁の背面側に前記ターミナルホルダが収納される凹状のターミナルホルダ収納部を形成し、このターミナルホルダ収納部の両側壁に該ターミナルホルダの両側に設けられた可撓性アームの弾性爪が着脱自在に係止される係止部をそれぞれ形成し、このターミナルホルダの両側の可撓性アームの先端の肉厚部に取り外し治具用の治具装着孔を形成したことを特徴とするモータの給電構造。
【請求項３】
請求項２記載のモータの給電構造であって、
前記コネクタ部には、前記給電部品の収納方向と直角方向に前記可撓性アームの治具装着孔が露出する開口部を形成したことを特徴とするモータの給電構造。
【発明の詳細な説明】
【技術分野】
【０００１】
本発明は、給電用の相手コネクタが嵌合されるコネクタ部を有したモータの給電構造に関する。
【背景技術】
【０００２】
この種のモータには、ケース等のハウジングに給電用の相手コネクタが嵌合されるコネクタ等の給電部品を取り付けたものがある。この際、ハウジング側に爪や孔を設け、これらに給電部品の弾性爪を係止して、給電部品をハウジングに固定している。
【０００３】
【特許文献１】特開平８−１６３８１２号公報
【発明の開示】
【発明が解決しようとする課題】
【０００４】
前記従来のモータでは、ハウジングと給電部品の結合構造が外部に露出していて、それを取り外し用の工具等で解除する場合は、その解除が容易であるが、ハウジングと給電部品の結合構造が内部に存在する場合は、ロック解除機構や解除のための工具を挿入する必要があり、装置全体が大型化するおそれがあった。
【０００５】
そこで、本発明は、前記した課題を解決すべくなされたものであり、ハウジングに給電部品を簡単に取り付けたり、取り外すことができると共に、全体の小型化を図ることができるモータの給電構造を提供することを目的とする。
【課題を解決するための手段】
【０００６】
請求項１の発明は、マグネットが固着されたヨークと、このヨークの開口端に固定され、内部に給電部品を収納したハウジングと、このハウジング内に収納され、中央にコンミュテータが貫通する円形の貫通孔を形成したブラシホルダと、このブラシホルダの貫通孔を挾むように少なくとも一対形成されたブラシ収納部に出没自在に収納されたブラシとを備え、前記ハウジングの内部に係止部を設け、この係止部に前記給電部品に設けられた弾性爪を係止して前記ハウジングの内部に前記給電部品を取り付けるようにしたモータの給電構造において、前記給電部品に前記弾性爪を形成した可撓性アームを設け、この可撓性アームの先端に取り外し治具用の治具装着孔を形成したことを特徴とする。
【０００７】
請求項２の発明は、請求項１記載のモータの給電構造であって、前記ハウジングに給電用の相手コネクタが嵌合される有底筒状のコネクタ部を形成し、このコネクタ部の底壁に該コネクタ部内に所定長突出する複数のターミナルの基部を貫通させると共に、該複数のターミナルの中途部を前記給電部品としてのターミナルホルダで保持し、かつ、前記コネクタ部の底壁の背面側に前記ターミナルホルダが収納される凹状のターミナルホルダ収納部を形成し、このターミナルホルダ収納部の両側壁に該ターミナルホルダの両側に設けられた可撓性アームの弾性爪が着脱自在に係止される係止部をそれぞれ形成し、このターミナルホルダの両側の可撓性アームの先端の肉厚部に取り外し治具用の治具装着孔を形成したことを特徴とする。
【０００８】
請求項３の発明は、請求項２記載のモータの給電構造であって、前記コネクタ部には、前記給電部品の収納方向と直角方向に前記可撓性アームの治具装着孔が露出する開口部を形成したことを特徴とする。
【発明の効果】
【０００９】
以上説明したように、請求項１の発明によれば、給電部品に弾性爪を形成した可撓性アームを設け、この可撓性アームの先端に取り外し治具用の治具装着孔を形成したことにより、ハウジングの内部に給電部品の弾性爪を係止する係止部を有する場合でも、ハウジングが大型化することはなく、ハウジングの内部の係止部に給電部品の弾性爪を係止したり、係止解除を簡単に行うことができる。
【００１０】
請求項２の発明によれば、ハウジングに給電用の相手コネクタが嵌合される有底筒状のコネクタ部を形成し、このコネクタ部の底壁に該コネクタ部内に所定長突出する複数のターミナルの基部を貫通させると共に、該複数のターミナルの中途部を給電部品としてのターミナルホルダで保持し、かつ、コネクタ部の底壁の背面側にターミナルホルダが収納される凹状のターミナルホルダ収納部を形成し、このターミナルホルダ収納部の両側壁に該ターミナルホルダの両側に設けられた可撓性アームの弾性爪が着脱自在に係止される係止部をそれぞれ形成し、このターミナルホルダの両側の可撓性アームの先端の肉厚部に取り外し治具用の治具装着孔を形成したことにより、複数のターミナルの中途部をターミナルホルダにより確実に保持して、長尺の各ターミナルの変形やガタ付きを確実に防止することができると共に、ハウジングのコネクタ部内への相手コネクタの着脱時の応力をターミナルホルダで確実に受けることができる。また、可撓性アームの治具装着孔に取り外し治具を装着することにより、ハウジングの内部の係止部と給電部品の弾性爪との係止状態を簡単に解除してハウジングの内部から給電部品を簡単に取り外すことができる。
【００１１】
請求項３の発明によれば、コネクタ部に可撓性アームの治具装着孔が露出する開口部を形成したことにより、この開口部から露出した可撓性アームの治具装着孔に取り外し治具を装着して、ハウジングの内部の係止部と給電部品の弾性爪との係止状態を簡単に解除してハウジングの内部から給電部品を簡単に取り外すことができる。これにより、ハウジングの小型化を図ることができる。
【発明を実施するための最良の形態】
【００１２】
以下、本発明の一実施形態を図面に基づいて説明する。
【００１３】
図１は本発明の一実施形態のモータを示す斜視図、図２は同モータの分解斜視図、図３は同モータのカバーを取り付ける前の状態をカバー側から見た斜視図、図４は同モータのカバーを取り付ける前の状態をキャップ側から見た斜視図、図５は同モータの正面図、図６は同モータのターミナルホルダ収納部の縦断面図、図７は同モータのコネクタ部の横断面図、図８は同モータに用いられるターミナルホルダの斜視図である。
【００１４】
図１〜図４に示すように、モータ１０は、両側が開口した金属製で円筒状のヨーク１１と、このヨーク１１の後側の開口端１１ａに加締め固定される合成樹脂製のキャップ１２と、ヨーク１１の前側の開口端１１ｃに加締め固定される合成樹脂製で有底円筒状のカバー（ハウジング）２０と、これらヨーク１１の前側の開口端１１ｃとカバー２０との間に挾持固定される合成樹脂製のブラシホルダ３０とを備えており、例えば、車両のシートをスライドさせるシートスライド機構の駆動源として用いられるものである。
【００１５】
図２に示すように、円筒状のヨーク１１の内周面１１ｅには、一対のマグネット１３，１３が接着剤等を介して固着されている。また、図４に示すように、キャップ１２の中央には円形の貫通孔１２ａを形成してあり、その周りの円筒部１２ｂの内側には図示しない軸受を配設してある。さらに、図２，図４に示すように、カバー２０の中央には円形の貫通孔２２ａを形成してあり、その周りの円筒部２２ｂの内側には軸受１４を嵌合してある。そして、この各軸受１４には、両側出力軸タイプのアーマチュア軸１５の両端１５ａ，１５ａを回転自在に支持してある。また、このアーマチュア軸１５の両端１５ａ，１５ａの各端面の中央には角穴１５ｂをそれぞれ形成してある。この各角穴１５ｂには図示しないシートスライド機構の棒状のケーブル等が連結されるようになっている。
【００１６】
また、図２に示すように、アーマチュア軸１５の一対のマグネット１３，１３に対向する位置には、アーマチュアコアとアーマチュアコイルから成るアーマチュア１６が取り付けられている。さらに、アーマチュア軸１５のヨーク１１の前側の開口端１１ｃに対向する位置には、コンミュテータ１７が固定されている。このコンミュテータ１７は所定数のコンミュテータ片１７ａを備えている。尚、図２に示すように、アーマチュア軸１５の一端１５ａのコンミュテータ１７と軸受１４との間にはワッシャ１８と円環状の弾性体１９等を介在してある。
【００１７】
図２〜図４に示すように、ヨーク１１の前側の開口端１１ｃに加締めにより固定されるカバー２０内には合成樹脂製で略円板状のブラシホルダ３０が収納されるようになっている。このカバー２０は、図１〜図４に示すように、ブラシホルダ３０を収納する円筒壁部２１と、この円筒壁部２１の上部の前方に一体突出形成され、給電用の相手コネクタ５０が嵌合される底壁２４を有した四角筒状のコネクタ部２３と、このコネクタ部２３の底壁２４の背面側に一体形成され、後述するターミナルホルダ４０を着脱自在に収納する上面側が開口した凹状のターミナルホルダ収納部２５とを有している。そして、カバー２０の円筒壁部２１の底壁２２の中央に円形の貫通孔２２ａを形成してある。また、カバー２０の円筒壁部２１の両外側には上下各一対の段差部２１ａ，２１ｂを形成してある。この上下各一対の段差部２１ａ，２１ｂには、ヨーク１１の前側の開口端１１ｃの両側に形成された上下各一対の加締め片部１１ｆ，１１ｇが加締められて係止されるようになっている。これにより、カバー２０はブラシホルダ３０を収納・挾持してヨーク１１の前側の開口端１１ｃに固定されるようになっている。
【００１８】
また、図４に示すように、カバー２０の円筒壁部２１の内周面（内面）２１ｃの相対向する位置にはブラシホルダ３０のブラシホルダ本体３１の両側部を当接させる一対の当接部２１ｄ，２１ｄを一体突出形成してある。この一対の当接部２１ｄ，２１ｄの貫通孔２２ａを挾んで上下斜めの対称位置には円柱状の係止突起（位置決め係止部）２１ｅ，２１ｅをそれぞれ一体突出形成してある。
【００１９】
図２，図３に示すように、ブラシホルダ３０は、一対のブラシ３４，３４を保持する略合成樹脂製で円板状のブラシホルダ本体３１を有している。このブラシホルダ本体３１の中央には円形の貫通孔３１ａを形成してある。このブラシホルダ本体３１の貫通孔３１ａを挾む相対向する位置の左右両側には、箱状の一対のブラシ収納部３２，３２を形成してある。この各ブラシ収納部３２内にはブラシ３４を出没自在に収納していて、該ブラシ３４は図示しない捩りコイルバネ（付勢手段）によりコンミュテータ１７のコンミュテータ片１７ａに接触するように押圧付勢されている。また、ブラシホルダ本体３１の前面の貫通孔３１ａを挾んだ対称位置である各ブラシ収納部３２から離れた位置、即ち、カバー２０の一対の係止突起２１ｅ，２１ｅに相対向する位置には、円環状に突出したリブ３３ａから成る係合凹部（位置決め係合部）３３を形成してある。この各係合凹部３３にはカバー２０の各円柱状の係止突起２１ｅが嵌合されるようになっている。
【００２０】
また、図２に示すように、ブラシホルダ３０のブラシホルダ本体３１の上，下部の両側には各一対の突出片３１ｂ，３１ｂをそれぞれ一体突出形成してある。この各一対の突出片３１ｂ，３１ｂはヨーク１１の前側の開口端１１ｃとカバー２０の円筒壁部２１の端部２１ｇに挾持されるようになっていると共に、該各一対の突出片３１ｂ，３１ｂはカバー２０の円筒壁部２１の端部２１ｇの各凹部２１ｈに挾持されて位置決めされるようになっている。これにより、ブラシホルダ本体３１はヨーク１１の前側の開口端１１ｃとカバー２０の円筒壁部２１の端部２１ｇとの間に挾持されて固定されるようになっている。
【００２１】
さらに、図２，図３，図７に示すように、ブラシホルダ３０のブラシホルダ本体３１の上部には、一つのターミナル３５の基部３５ａが嵌合される端子固定孔部（ターミナル取付部）３１ｃを形成してあると共に、４つのターミナル３６の基部３６ａの丸孔が貫通されて熱溶着されるボス状の溶着部（ターミナル取付部）３１ｄをそれぞれ一体突出形成してある。図５〜図７に示すように、各ターミナル３５，３６は、カバー２０のコネクタ部２３の底壁２４に形成された端子貫通孔２４ａに貫通されて該コネクタ部２３内に所定長突出している。また、図７に示すように、各ターミナル３５，３６の中途部３５ｂ，３６ｂに切欠き３５ｄ，３６ｄを有する凸部３５ｃ，３６ｃを形成してある。そして、各ターミナル３５，３６の凸部３５ｃ，３６ｃの切欠き３５ｄ，３６ｄは、カバー２０の凹状のターミナルホルダ収納部２５に着脱自在に取り付けられた後述するターミナルホルダ４０にそれぞれ嵌合されるようになっている。この各ターミナル３５，３６の凸部３５ｃ，３６ｃの切欠き３５ｄ，３６ｄは、カバー２０のコネクタ部２３の底壁２４に形成された端子貫通孔２４ａの挿入方向手前に位置されている。
【００２２】
図２，図６〜図８に示すように、ターミナルホルダ（給電部品）４０は合成樹脂製のターミナルホルダ本体４１を有している。このターミナルホルダ本体４１は、カバー２０のコネクタ部２３の底壁２４の背面側に形成された各ターミナル３５，３６に直交するように凹状のターミナルホルダ収納部２５の上面開口より該凹状のターミナルホルダ収納部２５内に嵌め込まれて複数のターミナル３５，３６にそれぞれ嵌合するようになっている。
【００２３】
図２，図６，図８に示すように、ターミナルホルダ本体４１の両側には、可撓性アーム４２，４２をそれぞれ一体突出形成してある。この各可撓性アーム４２の中途部４２ａには、ターミナルホルダ収納部２５の両側壁２５ａ，２５ａに形成された各鉤部（係止部）２５ｂに着脱自在に係止される弾性爪（係止爪）４３を一体突出形成してある。また、図８に示すように、各可撓性アーム４２の先端の肉厚部４２ｂには、取り外し治具用の治具装着孔４４を形成してある。図５に示すように、この各可撓性アーム４２の治具装着孔４４は、カバー２０のコネクタ部２３の底壁２４の両下側に形成された各開口部２４ｂ，２４ｂから露出するようになっている。さらに、ターミナルホルダ本体４１の底面４１ａには、各ターミナル３５，３６の凸部３５ｃ，３６ｃの切欠き３５ｄ，３６ｄに係止される棒状及びＴ字状の突起４５，４６，４７をそれぞれ一体突出形成してある。
【００２４】
尚、図６に示すように、カバー２０のコネクタ部２３の底壁２４の背面側に形成された凹状のターミナルホルダ収納部２５の底壁２５ｃには、各ターミナル３５，３６の凸部３５ｃ，３６ｃに当たる当接部２５ｄをそれぞれ一体突出形成してある。また、複数のターミナル３５，３６のうち両側の各ターミナル３５，３６はモータ駆動用（電源用）であり、内側の３本の各ターミナル３６，３６，３６はセンサ用（回転位置検出用）である。さらに、図１，図４に示すように、ヨーク１１の後側の開口端１１ａには所定間隔毎に加締め片部１１ｈを突出形成してある。この各加締め片部１１ｈをキャップ１２の各凹部１２ｃに加締めることにより、ヨーク１１の後側の開口端１１ａにキャップ１２が固定されるようになっている。
【００２５】
以上実施形態のモータ１０によれば、図７に示すように、複数のターミナル３５，３６の中途部３５ｂ，３６ｂに形成された凸部３５ｃ，３６ｃの切欠き３５ｄ，３６ｄ内に、カバー２０のコネクタ部２３の凹状のターミナルホルダ収納部２５内に収納された合成樹脂製のターミナルホルダ４０の各突起４５，４６，４７が嵌め込まれるため、複数のターミナル３５，３６の中途部３５ｂ，３６ｂを合成樹脂製のターミナルホルダ４０により確実に保持することができる。これにより、長尺の各ターミナル３５，３６の変形やガタ付きを確実に防止することができると共に、カバー２０のコネクタ部２３内への相手コネクタ５０の着脱時の応力をターミナルホルダ４０で確実に受けることができる。
【００２６】
また、図６に示すように、カバー２０のコネクタ部２３の凹状のターミナルホルダ収納部２５内に収納された合成樹脂製のターミナルホルダ４０は、そのターミナルホルダ本体４１の両側に一体突出形成された一対の可撓性アーム４２，４２の各中途部４２ａの弾性爪４３を、ターミナルホルダ収納部２５の両側壁２５ａ，２５ａに形成された各鉤部２５ｂに係止させているが、図５に示すように、ターミナルホルダ４０の一対の可撓性アーム４２，４２の各治具装着孔４４は、カバー２０のコネクタ部２３の底壁２４の両下側に形成された各開口部２４ｂ，２４ｂからそれぞれ露出しているため、この各開口部２４ｂ，２４ｂから露出した各可撓性アーム４２の治具装着孔４４に図示しない取り外し治具を装着して各各可撓性アーム４２を近づく方向に弾性変形させれば、ターミナルホルダ収納部２５の両側壁２５ａ，２５ａの各鉤部２５ｂとターミナルホルダ４０の一対の可撓性アーム４２，４２の各中途部４２ａの弾性爪４３との係止状態を簡単に解除することができ、ターミナルホルダ収納部２５内からターミナルホルダ４０を簡単に取り外すことができる。即ち、取り外し治具は、コネクタ部２３内から挿入され、ターミナルホルダ収納部２５内へは挿入されることがないため、ターミナルホルダ収納部２５の内部空間の省スペース化を図ることができる。その結果、カバー２０全体の小型化を図ることができる。
【００２７】
尚、前記実施形態によれば、給電部品としてターミナルホルダを用いた場合について説明したが、給電部品はターミナルホルダに限られるものではないことは勿論である。
【図面の簡単な説明】
【００２８】
【図１】本発明の一実施形態のモータを示す斜視図である。
【図２】上記モータの分解斜視図である。
【図３】上記モータのカバーを取り付ける前の状態をカバー側から見た斜視図である。
【図４】上記モータのカバーを取り付ける前の状態をキャップ側から見た斜視図である。
【図５】上記モータの正面図である。
【図６】上記モータのターミナルホルダ収納部の縦断面図である。
【図７】上記モータのコネクタ部の横断面図である。
【図８】上記モータに用いられるターミナルホルダの斜視図である。
【符号の説明】
【００２９】
１０  モータ
１１  ヨーク
１１ｃ  開口端
１１ｅ  内周面
１３  マグネット
１７  コンミュテータ
２０  カバー（ハウジング）
２３  コネクタ部
２４  底壁
２４ｂ  開口部
２５  ターミナルホルダ収納部
２５ｂ  鉤部（係止部）
３０  ブラシホルダ
３１ａ  貫通孔
３２，３２  一対のブラシ収納部
３４  ブラシ
３５，３６  ターミナル
３５ａ，３６ａ  基部
３５ｂ，３６ｂ  中途部
４０  ターミナルホルダ（給電部品）
４２  可撓性アーム
４２ｂ  先端の肉厚部
４３  弾性爪
４４  治具装着孔
５０  相手コネクタ
【図１】
2008278574.tif 000003
【図２】
2008278574.tif 000004
【図３】
2008278574.tif 000005
【図４】
2008278574.tif 000006
【図５】
2008278574.tif 000007
【図６】
2008278574.tif 000008
【図７】
2008278574.tif 000009
【図８】
2008278574.tif 000010